(57)【特許請求の範囲】
【請求項１】
ベースフレームと、該ベースフレームの左右に設けた一対の支柱と、該一対の支柱の間に設けたトレイと、前記一対の支柱の上方に設けた天板を有するナースカートであって、
前記ベースフレームは、
左右方向に延びる横フレーム部と、該横フレーム部の左右両端からそれぞれ前後方向に延びる縦フレーム部からなり、平面視略Ｈ字状に形成され、
前記縦フレーム部の前後端側のそれぞれに、前記ナースカートを水平方向に移動可能なキャスタを備え、
前記横フレーム部の中央下面側に、上下方向に昇降可能なストッパを備え、
前記ストッパを下降させることにより、ナースカートの水平方向への移動を規制しつつ、当該ナースカートの向きを変えることができるようにした
ことを特徴とする、ナースカート。
【請求項２】
前記縦フレーム部は、側面視において上向き略アーチ形状に形成したことを特徴とする、請求項１記載のナースカート。
【請求項３】
前記ストッパは、下降時に前記ナースカートと床の設置面から下方向に０．５〜１ｍｍ突出するようにしたことを特徴とする、請求項１〜２のいずれかに記載のナースカート。
【請求項４】
前記ストッパは、下降時に床と当接する面に緩衝材を設けたことを特徴とする、請求項１〜３のいずれかに記載のナースカート。
【発明の詳細な説明】
【技術分野】
【０００１】
本発明はナースカートに関し、詳しくは、移動を規制しつつその場で向きを変えることが可能なナースカートに関する。
【背景技術】
【０００２】
病院等の医療施設において看護師等が使用するナースカートとして、例えば特許文献１のようなものが知られている。
このナースカートは、縦長直方体の空間を上下に複数の空間に仕切り、最上位には天板を設け、その下側に複数のトレイを設けたものである。
また、ナースカート下端の四隅には、ナースカートを水平方向へ移動可能とするためのキャスタが設けられている。
【０００３】
ところで、上記のような従来のナースカートは、ナースカート下端四隅のキャスタにストッパが設けられていることが一般的である。このストッパによってキャスタの回転を止めることで、ナースカートの移動を規制するものである。
【０００４】
近年の医療業務を行う上で、ナースカートの天板上にパーソナルコンピュータやタブレット型コンピュータ等の電子機器を載置される場合がある。この場合には、当該電子機器の画面を見せるためにナースカートの向きをその場で変えられると利便性が高い。
同様に、狭い場所での作業を行う場合等にも、ナースカートの向きをその場で変えられることが求められていた。
【０００５】
しかし、従来のナースカートは移動のためにキャスタが設けられるのみであり、特に重量物を載置した状態での向きのみを変えることが難しいという問題があった。また、ナースカートが移動しないようにキャスタのストッパを使用している状況では、二輪以上のキャスタを止めてしまうとナースカートの向きを変えることができず、一輪のみを止めた状態では、当該一輪を支点にナースカートが大きく動いてしまうという問題があった。
【先行技術文献】
【特許文献】
【０００６】
【特許文献１】特開２０１２−１９９００号公報
【発明の概要】
【発明が解決しようとする課題】
【０００７】
本発明は上記の状況に着目し、移動を規制しつつその場で向きを変えることが可能なナースカートを提供することを、その課題とするものである。
【課題を解決するための手段】
【０００８】
上記課題を解決することを目的としてなされた本発明は、ベースフレームと、該ベースフレームの左右に設けた一対の支柱と、該一対の支柱の間に設けたトレイと、前記一対の支柱の上方に設けた天板を有するナースカートであって、前記ベースフレームは、左右方向に延びる横フレーム部と、該横フレーム部の左右両端からそれぞれ前後方向に延びる縦フレーム部からなり、平面視略Ｈ字状に形成され、前記縦フレーム部の前後端側のそれぞれに、前記ナースカートを水平方向に移動可能なキャスタを備え、前記横フレーム部の中央下面側に、上下方向に昇降可能なストッパを備え、前記ストッパを下降させることにより、ナースカートの移動を規制しつつ、当該ナースカートの向きを変えることができるようにしたことを特徴としている。
【０００９】
本発明において、縦フレーム部は、側面視において上向き略アーチ形状に形成されていると好適である。
【００１０】
また、ストッパは、下降時にナースカートと床の設置面から下方向に０．５〜１ｍｍ突出するようにすると好適である。また、ストッパは、下降時に床と当接する面に緩衝材をもうけてもよい。
【発明の効果】
【００１１】
本発明のナースカートによれば、ストッパを下降させて床と当接することにより、ナースカートの移動を規制しつつ、その場で向きを変えることができる。
【図面の簡単な説明】
【００１２】
【図１】本発明に係るナースカートの実施の一例における斜視図である。
【図２】同実施例の正面図である。
【図３】同実施例の側面図である。
【図４】同実施例の底面図である。
【図５】同実施例におけるストッパの側面図であり、（ａ）は上昇状態、（ｂ）は下降状態を表す図である。
【発明を実施するための形態】
【００１３】
以下、本発明の実施形態の一例を、図面を参照して説明する。
図１で示すように、本発明の実施例に係るナースカート１は、天板２と、左右一対の支柱３と、当該一対の支柱３の間に設けたトレイ４と、支柱３下端に接続されたベースフレーム５と、を主な構成とするものである。
【００１４】
天板２は、図１〜３で示すように、平面視略矩形の木製板状部材であり、上面に医療器具やパーソナルコンピュータ等を載置するためのものである。
また、天板２下面の背面側には、ナースカート１背面方向に平面視略コ字状のハンドル６が設けられている。ハンドル６の背面側は上方向に突出して、天板２の背面側端面と並行なグリップ部が、天板２とほぼ同じ高さとなるように形成されている。
天板２にパーソナルコンピュータ等の電子機器を載置した場合には、グリップ部をアームレストとして使用することができる。
【００１５】
支柱３は、天板２下面から上下方向に延びる左右一対の柱状部材であり、天板２と、後述のトレイ４を支持するものである。
支柱３が互いに対向する面には、上下方向にスリット７が複数設けられており、当該スリット７にはトレイ４を設置するためのスライドレール（図示しない）を固定することができる。スライドレールを固定するためのスリット７が上下方向に複数設けられていることにより、トレイ４を設置する高さを変更することができる。
【００１６】
トレイ４は、平面側を開口した箱状の樹脂製部材であり、上下方向に３個配置されている。このうち、上側２つは深さが５２ｍｍであり、下側１つは深さが９８ｍｍに形成されている。
トレイ４の開口部における上端は、トレイ４の外側に向かって折り返された形状となっており、前述のスライドレールの上端に当該折り返し部分を載置することによってトレイ４はナースカート１に設置される。トレイ４がスライドレール上を滑動することにより、ナースカート１の前後方向にスライドすることができる。
また、スライドレールはトレイ４の折り返し部分によって覆わるので、スライドレールが目立たず、美観を損ねることが無い。
【００１７】
ベースフレーム５は、図１及び図４で示すように、左右の支柱３の下端同士をつなぐように横方向に延びる横フレーム部５ａと、横フレーム部５ａの左右両端から前後に延びる縦フレーム５ｂからなり、平面視略Ｈ字状に形成されている。
また、ベースフレーム５は金属板を曲げ加工したものを複数組合せて上記形状としている。金属板の材質や厚み、加工方法等は任意のものを用いることができ、また、板状部材を組合せずに鋳造等による一体成型によるものでもよく、ナースカート１及びこれに載置する積載物の重量を支えることができれば金属以外の材質でもよい。
【００１８】
縦フレーム部５ｂは、図３で示すように、横フレーム５ａとの連結位置、すなわち支柱３の下端付近を頂上として、中央から前後端に向けて下降するようになだらかな傾斜が設けられている。これにより、縦フレーム部５ｂは側面視において上向き略アーチ形状の部材となっている。
縦フレーム部５ｂを支柱３の下端付近を頂上とした上向き略アーチ形状とすることで、ナースカート１及び積載物の荷重を受け止め、縦フレーム部５ｂの撓みを防ぐことができる。
後述のように、本実施例ではベースフレーム５にストッパ９を設置し、ストッパ９下降時の突出量を０．５〜１ｍｍとしているが、ベースフレーム５が容易に撓んでしまうと突出量も大きく変化してしまう。本実施例では縦フレーム部５ｂを略アーチ形状とすることで撓みを防ぎ、ナースカート１や積載物の重量によるストッパ９の突出量の変化を防ぐことができる。
さらに、当該アーチの頂上に位置する横フレーム部５ａと床面の間に後述のストッパ９を配置する空間を設けることができる。また、ナースカート１下側の前後に縦フレーム部５ｂが傾斜していることにより、別途用意した椅子等に腰掛けて作業を行う場合にはこの縦フレーム５ｂをフットレスト代わりに使用することができる。これにより、使用者に快適な作業環境を提供することができる。
【００１９】
縦フレームの下面には、図１〜３で示すように、前後端それぞれに、ナースカート１を移動させるためのキャスタ８が設けられている。
【００２０】
横フレーム５ａの底面は、図２〜４で示すように、中央部を略四角柱状に下方向へ突出させたストッパ固定台５ｃが形成されている。ストッパ固定台５ｃは、後述のストッパ９を固定する台座として機能するとともに、ストッパ９を所定の高さに設置するものである。
なお、本実施例ではストッパ９はストッパ固定台５ｃに直接固定されるが、ストッパ９の全長や上端部の形状に合わせてストッパ９とストッパ固定台５ｃの間にブラケットやスペーサ等を設けても良い。このような構成とした場合は、様々な形状のストッパ９をナースカート１に用いることができる。経年劣化によりベースフレーム５が撓んでストッパ９と床面とのクリアランスが変化した等の場合であっても、ブラケットやスペーサを交換してクリアランスを調整することができる。
また、ストッパ固定台５ｃをベースフレーム５と一体形成せず、別部材としてもよい。この場合は、上記ブラケットの機能をストッパ固定台５ｃ自体によって発揮することができる。
【００２１】
ベースフレーム５の横フレーム５ａ下面には、図１〜４で示すように、ストッパ９が取り付けられる。
このストッパは図５（ａ）、（ｂ）で示すように、ストッパ本体部９ａと、ピストン９ｂと、ストッパ当接部９ｃと、昇降ペダル９ｅ、９ｆと、を主な構成としている。
【００２２】
ストッパ本体部９ａは、ピストン９ｂを内部に昇降可能に収容するとともに、ストッパ９をストッパ固定台５ｃに設置するための部材である。ストッパ本体部９ａは全体がナイロン樹脂を形成したもので、下端側にはピストン９ｂを収容するシリンダ（図示しない）が設けられており、上端側には平面視略矩形の板状部に形成されている。
ストッパ本体部９ａ上端の板状部には、四隅に前後左右それぞれ８０ｍｍ間隔で直径約８．５ｍｍの穴が上下方向に設けられている。ストッパ固定台５ｃにもこれに対応する位置にボルト穴が設けられており、上記穴にボルトを挿通してストッパ固定台５ｃに螺合することにより、ストッパ９をベースフレーム５に設置する。
【００２３】
ストッパ本体部９ａにはピストン９ｂが昇降可能に取り付けられており、ピストン９ｂの下端には、ナースカート１の移動を防止するために床面と当接するためのストッパ当接部９ｃが設けられている。
ストッパ当接部９ｃは直径約６６ｍｍの略円盤状の部材であり、下端にはゴム製の緩衝材９ｄが設けられている。
【００２４】
また、ストップ本体部９ａの上端側には、ピストン９ｂを下降させるために側面視略Ｌ字状の下降ペダル９ｅが回動可能に支持されており、ピストンの上端側には当該ピストンを上昇させるために側面視略Ｌ字状の上昇ペダル９ｆが回動可能に支持されている。また、昇降ペダル９ｅ、９ｆ、は、互いに中間部分で連結ピンによって回動可能に連結されている。
図５（ａ）に示すように、ストッパ上昇時には下降ペダル９ｅが上昇ペダル９ｆよりも上方向に位置している。ここで、下降ペダル９ｅを押し下げると、図５（ｂ）に示すように、ピストン９ｂが下降するとともに上昇ペダル９ｆが上昇する。これにより、昇降ペダル９ｅ、９ｆの操作によって、ピストン９ｂ、ストッパ当接部９ｃ、緩衝材９ｄを昇降することができる。
【００２５】
ストッパ９は、昇降ストロークが２５ｍｍに設定されており、全長を上昇時１４８ｍｍから下降時１７３ｍｍまで変化させることができる。
このストッパ９をナースカート１に設置した状態において、ストッパ９の最下端、すなわちストッパ当接部９ｃの緩衝材９ｄは、ストッパ９上昇時において床面から２４〜２４．５ｍｍの距離に位置するように設定され、ストッパ９を下降させると床面から下方向に０．５〜１ｍｍ突出する。ストッパ当接部９ｃの緩衝材９ｄが突出する量は、小さすぎると十分にストッパ当接部９ｃ及び緩衝材９ｄを床面に圧接できず、大きすぎるとナースカート１が浮き上がり姿勢が安定しなくなるため、０．５ｍｍ〜１ｍｍ程度が望ましい。ただし、ピストン９ｂにバネ等の弾性部材を設けたストッパを用いる場合には、突出量を１ｍｍ以上としてもよい。
ストッパ９を下降するとストッパ当接部９ｃの緩衝材９ｄが床面に圧接され、緩衝材９ｄと床面の間の摩擦によってナースカート１の水平方向への移動は規制される。
この状態においてキャリア８の車輪はいずれも回転を規制されておらず、ストッパ９を中心にナースカート１の向きのみを変えることができる。この際、ストッパ当接部９ｃの緩衝材９ｄは床面に対して摺動することとなるが、ストッパ９の突出量を０．５ｍｍ〜１ｍｍとすることで、向き変えに対して過大な抵抗とはならない。
ストッパ９はベースフレーム５の横フレーム５ａ中央に位置するので、ナースカート１の底面視において中央付近に位置することとなり、前後左右に障害物がある場合であってもナースカート１の向きを容易に変えることができる。
また、ストッパ当接部９ｃの下面に緩衝材９ｄを設けたことにより、床面との接触時に騒音を抑えるとともに、ナースカート１の移動を規制するために必要な摩擦力を発揮することができる。
【００２６】
また、ナースカート１の天板２の背面側には、当該天板２とほぼ高さが同じ位置のグリップを備えるハンドル６が設けられている。
このハンドル６は、天板２にパーソナルコンピュータ等を載置した際にはアームレストとして使用することができるが、ナースカート１の向きを変えることで、アームレストの方向を容易に調節することができる。一台のパーソナルコンピュータ等を複数人で使用している場合には、操作を担当する者が変わる毎にナースカート１の向きを変えて、パーソナルコンピュータ等とアームレストの向きを同時に調節することができる。
【００２７】
本実施例の具体的構成は以上であるが、本発明の構成は上記実施形態に限られるものでは無い。
例えば、本実施例ではストッパ９の突出量をストッパ固定台５ｃの高さによって規定しているが、前述のとおり、ストッパ９とストッパ固定台５ｃの間にブラケットやスペーサ等を介して調整できるようにしてもよい。
また、ナースカート１の向きをより容易に変えるために、ストッパ当接部９ｃ及び緩衝材９ｄをストッパ本体部に対して回動可能としてもよい。
また、天板２は木製でなく例えば金属製や樹脂製であってもよい。
その他具体的構成についても上記実施例の形態に限られるものではなく、本発明の趣旨を逸脱しない範囲においてさまざまな変更が可能である。
【符号の説明】
【００２８】
１    ナースカート
２    天板
３    支柱
４    トレイ
５    ベースフレーム
６    ハンドル
７    スリット
８    キャスタ
９    ストッパ
【図１】
0005889076.tif 000002
【図２】
0005889076.tif 000003
【図３】
0005889076.tif 000004
【図４】
0005889076.tif 000005
【図５】
0005889076.tif 000006